(57)【要約】【課題】  製品の品質・信頼性向上に寄与することができるプリント配線板の設計方法、この設計方法を実現するためのメッキリード評価プログラム、このメッキリード評価プログラムを記録したコンピュータ読み取り可能な記録媒体を備えた評価装置、およびこれら設計方法、メッキリード評価プログラムまたは評価装置を用いて設計されたプリント配線板を提供する。【解決手段】  メッキリードの引き回しパターンの設計図に基づき、被メッキ導体とメッキ電流供給源との間を電気的に接続しているメッキリードの導通抵抗の値を設定する工程（ステップＳ１）と、導通抵抗の値を評価する工程（ステップＳ２）と、評価結果に基づきメッキリードの引き回し経路が不適合であるか否かを判断する工程（ステップＳ３）と、不適合であると判断した場合にメッキリードの引き回し経路を変更する工程（ステップＳ４）とを実施することによりプリント配線板を得る。【選択図】  図１
2005215989.tif 000002
【特許請求の範囲】
【請求項１】
プリント配線板表面に予め形成されている導体表面に電気メッキ法にてメッキを行うことによってメッキ層を設けて端子および／またはランドを形成する際に用いられるプリント配線板の設計方法であって、
メッキリードの引き回しパターンの設計図に基づき、被メッキ導体とメッキ電流供給源との間を電気的に接続しているメッキリードの導通抵抗の値を設定する工程と、
この導通抵抗の値を評価する工程と、
この評価結果に基づきメッキリードの引き回し経路が不適合であるか適合であるかを判断する工程と、
不適合であると判断した場合にメッキリードの引き回し経路を変更する工程と
からなることを特徴とするプリント配線板の設計方法。
【請求項２】
前記導通抵抗の値を評価する工程において、メッキリード中に存在するスルホールおよび／またはビアホールの個数で評価を行う請求項１記載のプリント配線板の設計方法。
【請求項３】
前記導通抵抗の値を評価する工程において、メッキリード中に存在するスルホールおよび／またはビアホールの個数と、これらスルホールおよび／またはビアホールの導通抵抗とで評価を行う請求項１記載のプリント配線板の設計方法。
【請求項４】
前記導通抵抗の値を評価する工程において、メッキリード自体の導通抵抗で評価を行う請求項１記載のプリント配線板の設計方法。
【請求項５】
前記導通抵抗の値を評価する工程において、メッキリード中に存在するスルホールおよび／またはビアホールの個数と、これらスルホールおよび／またはビアホールの導通抵抗と、メッキリード自体の導通抵抗とのうちの少なくとも２つを選択して組み合わせて評価を行う請求項１記載のプリント配線板の設計方法。
【請求項６】
前記導通抵抗の値を評価する工程において、被メッキ導体の被メッキ面積もさらに組み合わせて評価を行う請求項５記載のプリント配線板の設計方法。
【請求項７】
前記請求項１、２、３、４、５または６記載のプリント配線板の設計方法を実現するためのメッキリード評価プログラム。
【請求項８】
前記導通抵抗の値を設定する工程において、メッキリードを構成するパターンならびにスルホールおよび／またはビアホールの接続関係を、各パターンを構成する図形要素の座標値を基にベクトル状態で処理して所定の値に変換することにより、メッキリードの導通抵抗の値を設定する請求項７記載のメッキリード評価プログラム。
【請求項９】
前記導通抵抗の値を評価する工程において、メッキリードを構成するパターンならびにスルホールおよび／またはビアホールの接続関係を、パターンならびにスルホールおよび／またはビアホールに関するキャドデータを基にして、ビットマップ上に展開した後、図形処理を行って前記接続関係を所定の値に変換することにより、メッキリードの導通抵抗の値を設定する請求項７記載のメッキリード評価プログラム。
【請求項１０】
前記導通抵抗の値を評価する工程において、メッキリードを構成するパターンならびにスルホールおよび／またはビアホールの接続関係を、パターンならびにスルホールおよび／またはビアホールのイメージをスキャナで取り込み、ビットマップ上に展開した後、図形処理を行って前記接続関係を所定の値に変換することにより、メッキリードの導通抵抗の値を設定する請求項７記載のメッキリード評価プログラム。
【請求項１１】
請求項１０記載のメッキリード評価プログラムを記録したコンピュータ読み取り可能な記録媒体を備えてなるコンピュータと、パターンならびにスルホールおよび／またはビアホールのイメージを取り込むスキャナとを含んでなることを特徴とする評価装置。
【請求項１２】
請求項１、２、３、４、５、６、７、８、９、１０または１１の記載の設計方法、メッキリード評価プログラムおよび評価装置のうちの少なくとも１つを用いて設計されたことを特徴とするプリント配線板。
【発明の詳細な説明】
【技術分野】
【０００１】
本発明は、プリント配線板表面に表面処理として電気メッキ法を用いてメッキを行う際に用いられるものであり、メッキ層厚が問題となるものに利用できるプリント配線板の設計方法、この設計方法を実現するためのメッキリード評価プログラム、このメッキリード評価プログラムを記録したコンピュータ読み取り可能な記録媒体を備えた評価装置、およびこれら設計方法、メッキリード評価プログラムまたは評価装置を用いて設計されたプリント配線板に関する。
【背景技術】
【０００２】
一般に、プリント配線板の表面には、部品実装用ランドや、他のユニットとの接続用の端子、摺動・接触接点用パターンなどが形成されている。これらの端子およびランドの表面は、導体（通常は銅が用いられる）そのものではなく、酸化防止のために、何らかの表面処理が成されていることが一般的である。
【０００３】
そして、通常、接触抵抗や耐候性が問題となる部位には金メッキ処理が施されており、部品の半田付けが行われる部位には半田メッキ処理が施されており、その他、防錆処理等が施されている場合がある。
【０００４】
さらに、多くの場合、このメッキ処理の工程には、電気メッキ法が使用されるため、他の配線パターンと同様な手法で、メッキリードが端子やランドからプリント配線板上に引き回されている。最終的には、このメッキリードが、プリント配線板の製品外に設定されたメッキ電流供給ラインを介してメッキ電流供給源に接続されており、メッキ電流供給ラインを介してメッキリードにメッキ電流を印加することで、電気メッキを行っている。
【０００５】
従来、端子および部品実装用のランドを形成するときに、プリント配線板上に形成された導体に対して実施される表面処理としての、金や半田を用いたメッキ処理の工程においては、メッキを行うか否かとラフなメッキ層の厚さの指定とのみが行われており、端子やランドの１個１個について厳密に厚さを指定することはまれである。従って、メッキリードのチェックを機械的に処理する方法が提案されていても、メッキリード付プリント配線板用のパターンフィルム作成用データ検査方法（例えば、特許文献１参照）のように、接続しているか否かをチェックするにとどまっていた。
【０００６】
しかし、液晶などの表示装置とプリント配線板との接続のような、多ＰＩＮ（ピン）の同時接続を行う場合や、摺動接点としてプリント配線板上のランドを使う場合には、隣接するメッキ層間の厚み差が問題になるケースが出てきた。
【０００７】
メッキ層厚を正確にコントロールするためにはメッキリードの引き回しを詳細に検討することが必要である。従来より、メッキリードの引き回し法の改善策として、メッキリードの引き回しを均一化して改善する方法（例えば、特許文献２，３）が提案されている他、摺動端子自体を埋め込んで表面の凹凸を無くした平滑基板を採用する方法や、調整用パターンを設けて改善する方法（例えば、特許文献４参照）等が提案されている。
【特許文献１】特開昭６３−１８８２６７号公報
【特許文献２】特開平５−３１５７３０号公報
【特許文献３】特開昭６３−１０４３９９号公報
【特許文献４】特開平３−１７３４９４号公報
【発明の開示】
【発明が解決しようとする課題】
【０００８】
しかしながら、回路やランドの配置状況から、メッキリードをこのように希望する通りの方法で引き回す方法がいつも適用できるとは限らず、さらに、コストも高くつく場合が多く、また、具体的なメッキリードの引き回しに関する簡単で有効な評価方法もなかったといった問題があった。
【０００９】
ここで、隣接する摺動端子間のメッキ層厚の差が問題となるケースについて、図面を参照しつつ説明する。
【００１０】
図１３は、従来のプリント配線板におけるメッキリードの引き回しの一例を示す平面図である。
【００１１】
プリント配線板１００表面に設けられた導体１０１ａ，１０２ａは、メッキリード１０３，１０４によって、製品外に設けられた電気メッキ用の電流供給ライン１０５に接続されている。本例においては、メッキリード１０３，１０４それぞれの長さや線幅はほとんど同じであり、導体１０１ａ，１０２ａの面積にも大差がないため、これら導体１０１ａ，１０２ａに電気メッキ工程にて、ニッケルメッキまたは金メッキを施した場合、導体１０１ａ，１０２ａ上に形成されるメッキ層（ニッケルメッキ層や金メッキ層）の厚さに大きな差は生じない。
【００１２】
しかし、プリント配線板のパターン配置の都合によって、メッキリードの引き回しに制約が生じることも多い。続いて、このような制約が生じているケースについて、図面を参照しつつ説明する。
【００１３】
図１４は、従来の従来のプリント配線板におけるメッキリードの引き回しの他の例を示す平面図である。
【００１４】
本例では、メッキリード１０６の長さが、メッキリード１０７に比べかなり長くなっている上、途中にスルホール６０１，６０２が存在している。
【００１５】
このような場合、メッキリード１０６の導通抵抗とメッキリード１０７の導通抵抗との間には、大きな差ができることになる。その結果、一般に知られる通り、メッキリード１０６に接続されている導体１０２ａ表面に付くメッキ層の厚さが薄くなってしまうといった問題が生じる。
【００１６】
図１５は、各導体に接続されているメッキリードの導通抵抗間に差がある状態でメッキ工程を実施した場合のメッキ層の状態の一例を示す断面図である。
【００１７】
２つの摺動端子１０１，１０２のうちの、一方の摺動端子（図面において左側に示されている摺動端子）１０１は、プリント配線板１００上に形成された導体１０１ａと、メッキ工程を実施することにより導体１０１ａの上に順次形成された下地ニッケルメッキ層１１０１ｂと金メッキ層１０１ｃとからなる。また、他方の摺動端子（図面において右側に示されている摺動端子）１０２は、プリント配線板１００上に形成された導体１０２ａと、メッキ工程を実施することにより導体１０２ａの上に順次形成された下地ニッケルメッキ層１０２ｂと金メッキ層１０２ｃとからなる。
【００１８】
これら摺動端子１０１，１０２の各メッキ層の厚さを比較すると、下地ニッケルメッキ層１０１ｂ，１０２ｂ、金メッキ層１０１ｃ，１０２ｃともに、一方の摺動端子１０１を構成する下地ニッケルメッキ層１０１ｂおよび金メッキ層１０２ｂの方が厚い。そのため、摺動端子１０１の厚さＴ１０１は、摺動端子１０２の厚さＴ１０２よりかなり大きくなっている。
【００１９】
このような状態で摺動端子１０１，１０２が使用された場合、摺動端子１０１と摺動端子１０２との高さが異なるため、摺動子１０８が摺動端子１０１，１０２の表面をこするときに、摺動子１０８が摺動端子１０２から摺動端子１０１の方向に動くと、摺動子１０８が摺動端子１０１の角Ｐ１０１にぶつかり、摺動端子１０１に乗り上げる形となり、角Ｐ１０１を削ったり痛めたりするといった問題が生じていた。
【００２０】
また、逆に、摺動子１０８が摺動端子１０１から摺動端子１０２の方向に動くと、摺動子１０８が落ちる形になり、摺動端子１０２の角Ｐ１０２を打ち、摺動端子１０２を痛めることになる。同時に、摺動子１０８自体も痛むといった問題が生じていた。
【００２１】
これらの理由により、隣接するメッキ層の厚さが異なっている場合には、摺動接点の寿命や接触信頼性に関して大きな影響を受けることになる。
【００２２】
また、一般に被メッキ面積が増えた場合、同じ時間に同じ厚さのメッキを付けようとすれば、メッキ面積にほぼ比例した電流量を各被メッキ部に与えなければならないが、この点については、現在、メッキリードの引き回しを行うだけで精一杯であり、現実的には、考慮されていないのが現実である。
【００２３】
本発明は係る実情に鑑みてなされたもので、その目的は、メッキ膜厚のコントロールができることや、引き回しのチェックが容易にできることにより、製品の品質・信頼性向上に寄与することができるプリント配線板の設計方法、この設計方法を実現するためのメッキリード評価プログラム、このメッキリード評価プログラムを記録したコンピュータ読み取り可能な記録媒体を備えた評価装置、およびこれら設計方法、メッキリード評価プログラムまたは評価装置を用いて設計されたプリント配線板を提供することにある。
【課題を解決するための手段】
【００２４】
上記課題を解決するため、本発明のプリント配線板の設計方法は、プリント配線板表面に予め形成されている導体表面に電気メッキ法にてメッキを行うことによってメッキ層を設けて端子および／またはランドを形成する際に用いられるプリント配線板の設計方法であって、メッキリードの引き回しパターンの設計図に基づき、被メッキ導体とメッキ電流供給源との間を電気的に接続しているメッキリードの導通抵抗の値を設定する工程と、この導通抵抗の値を評価する工程と、この評価結果に基づきメッキリードの引き回し経路が不適合であるか適合であるかを判断する工程と、不適合であると判断した場合にメッキリードの引き回し経路を変更する工程とからなるものである。
【００２５】
また、前記導通抵抗の値を評価する工程において、メッキリード中に存在するスルホールおよび／またはビアホールの個数で評価を行ってもよい。
【００２６】
また、前記導通抵抗の値を評価する工程において、メッキリード中に存在するスルホールおよび／またはビアホールの個数と、これらスルホールおよび／またはビアホールの導通抵抗とで評価を行ってもよい。
【００２７】
また、前記導通抵抗の値を評価する工程において、メッキリード自体の導通抵抗で評価を行ってもよい。
【００２８】
また、前記導通抵抗の値を評価する工程において、メッキリード中に存在するスルホールおよび／またはビアホールの個数と、これらスルホールおよび／またはビアホールの導通抵抗と、メッキリード自体の導通抵抗とのうちの少なくとも２つを選択して組み合わせて評価を行ってもよく、さらに、前記導通抵抗の値を評価する工程において、被メッキ導体の被メッキ面積も組み合わせて評価を行ってもよい。
【００２９】
上記課題を解決するため、本発明のメッキリード評価プログラムは、前述のプリント配線板のうちの１つのプリント配線板の設計方法を実現するためのものである。
【００３０】
また、前記導通抵抗の値を設定する工程において、メッキリードを構成するパターンならびにスルホールおよび／またはビアホールの接続関係を、各パターンを構成する図形要素の座標値を基にベクトル状態で処理して所定の値に変換することにより、メッキリードの導通抵抗の値を設定してもよい。
【００３１】
また、前記導通抵抗の値を評価する工程において、メッキリードを構成するパターンならびにスルホールおよび／またはビアホールの接続関係を、パターンならびにスルホールおよび／またはビアホールに関するキャドデータ（ＣＡＤデータ）を基にして、ビットマップ上に展開した後、図形処理を行って前記接続関係を所定の値に変換することにより、メッキリードの導通抵抗の値を設定してもよい。
【００３２】
また、前記導通抵抗の値を評価する工程において、メッキリードを構成するパターンならびにスルホールおよび／またはビアホールの接続関係を、パターンならびにスルホールおよび／またはビアホールのイメージをスキャナで取り込み、ビットマップ上に展開した後、図形処理を行って前記接続関係を所定の値に変換することにより、メッキリードの導通抵抗の値を設定してもよい。
【００３３】
上記課題を解決するため、本発明の評価装置は、上記メッキリード評価プログラムを記録したコンピュータ読み取り可能な記録媒体を備えてなるコンピュータと、パターンならびにスルホールおよび／またはビアホールのイメージを取り込むスキャナとを含んでなるものである。
【００３４】
上記課題を解決するため、本発明のプリント配線板は、前述した設計方法、メッキリード評価プログラムおよび評価装置のうちの少なくとも１つを用いて設計されたものである。
【発明の効果】
【００３５】
本発明のプリント配線板の設計方法は、プリント配線板表面に予め形成されている導体表面に電気メッキ法にてメッキを行うことによってメッキ層を設けて端子および／またはランドを形成する際に用いられるプリント配線板の設計方法であって、メッキリードの引き回しパターンの設計図に基づき、被メッキ導体とメッキ電流供給源との間を電気的に接続しているメッキリードの導通抵抗の値を設定する工程と、この導通抵抗の値を評価する工程と、この評価結果に基づきメッキリードの引き回し経路が不適合であるか適合であるかを判断する工程と、不適合であると判断した場合にメッキリードの引き回し経路を変更する工程とを備えた構成としたので、メッキリードの引き回しを改善し、端子やランドのメッキ厚を所望の厚さにしたり、隣接端子・ランドの厚みの差を少なくすることができるといった効果や、メッキリードの引き回しのチェックが容易にできるようになるといった効果を奏するため、製品の品質および信頼性向上に寄与することができる。
【００３６】
また、本発明の評価装置は、上記メッキリード評価プログラムを記録したコンピュータ読み取り可能な記録媒体を備えてなるコンピュータと、パターンならびにスルホールおよび／またはビアホールのイメージを取り込むスキャナとを含んで構成したので、メッキリードの引き回しを改善し、端子やランドのメッキ厚を所望の厚さにしたり、隣接端子・ランドの厚みの差を少なくすることができるといった効果や、メッキリードの引き回しのチェックが容易にできるようになるといった効果を奏するため、製品の品質および信頼性向上に寄与することができる。
【００３７】
また、本発明のプリント配線板は、前述した設計方法、メッキリード評価プログラムおよび評価装置のうちの少なくとも１つを用いて設計されたものであるので、メッキリードの引き回しを改善し、端子やランドのメッキ厚を所望の厚さにしたり、隣接端子・ランドの厚みの差を少なくすることができるといった効果や、メッキリードの引き回しのチェックが容易にできるようになるといった効果を奏するため、製品の品質および信頼性向上に寄与することができる。
【発明を実施するための最良の形態】
【００３８】
以下、本発明の実施の形態について、図面を参照して説明する。
【００３９】
なお、以下の実施例では、図や説明を簡単にするため、両面配線板の例を用いて説明を行っているが、評価手順や配線引き回し方法等、ここで説明されるすべての技法は、配線板の種類や層数、製造方法に関係なく適用できるものである。
【実施例１】
【００４０】
以下、本発明の実施例１について図面を参照して説明する。
【００４１】
図１は、本発明のプリント配線板の設計方法の実施例１を実施する際に用いられる、ＣＡＤ上で保持されているアートワークデータのイメージの一例を示す説明図である。なお、このイメージは、発明が解決しようとする課題を説明する際に、従来のプリント配線板におけるメッキリードの引き回しの一例として図１３に示したパターンを作成するためにＣＡＤ上で保持されているアートワークデータである。また、説明図を簡略化するために、現在着目している要素である、摺導端子と、この摺導端子に接続されているメッキリードと、このメッキリードにメッキ電流を供給するメッキ電流供給ラインとのみを示しており、その他の要素については図示を省略している。
【００４２】
本実施例においては、メッキ電流供給源に接続されているメッキ電流供給ライン５と、被メッキ導体であり、第１摺動端子の導体である第１導体１および第２摺動端子の導体である第２導体２と、メッキ電流供給ライン５および第１導体１間を電気的に接続している第１メッキリード３とが、プリント配線板７の第１層のみに配置されており、メッキ電流供給ライン５および第２導体２間を電気的に接続している第２メッキリード４は、一部分（即ち、参照符号４ａ〜４ｃおよび参照符号４ｇ〜４ｉを用いて示した直線の図形要素）が第１層に配置されているとともに、他の部分（即ち、参照符号４ｄ〜４ｆを用いて示した直線の図形要素）が第１スルホール６ａおよび第２スルホール６ｂを介してプリント配線板７の第２層を経由しているものとする。
【００４３】
第１メッキリード３は、参照符号３ａ〜３ｅを用いて示した５本の直線の図形要素からなり、ＣＡＤデータ上では、各々の図形要素を表す「始点、終点、中心座標」等からなる「座標データ」と、線幅および各々の図形要素が存在している層等を表す属性情報からなる「数値データ」とがセットになって格納されている。
【００４４】
また、第２メッキリード４は、第１スルホール６ａおよび第２スルホール６ｂを示す円形状の図形要素と、参照符号４ａ〜４ｉを用いて示した９本の直線の図形要素とからなり、第１メッキリード３と同様に、ＣＡＤデータ上では、「座標データ」と「数値データ」とがセットになって格納されている。
【００４５】
ここで、ＣＡＤ上で保持されているアートワークデータに基づき、図１に示すイメージを層別に分解した状態について、図面を参照しつつ説明する。
【００４６】
図２は、図１に示すイメージのうち、プリント配線板の第１層に配置される要素のイメージであり、図３は、図１に示すイメージのうち、プリント配線板の第２層に配置される要素のイメージであり、図４は、図１に示すイメージのうち、プリント配線板に施されるドリルを示すドリルデータを示すイメージである。なお、図２〜図４に示すイメージは、通常、プリント配線板を製造するときに使われるパターンフィルムやドリル加工データに相当するものである。
【００４７】
一般に、メッキ層厚に大きな影響を与えるパラメータとしては、第１メッキリード３および第２メッキリード４の導通抵抗や、被メッキ面積が挙げられる。また、第１メッキリード３および第２メッキリード４の導通抵抗は、第１メッキリード３および第２メッキリード４の長さと幅と厚さと、第１スルホール６ａおよび第２スルホール６ｂの抵抗と通過するスルホールの個数に分解される。但し、スルホール１個あたりの導通抵抗およびメッキリードの厚さは１つのプリント配線板７内では、ほぼ一定と仮定されるので、評価の際は、定数を用いることで、もっぱら、それ以外の項目を評価することになる。なお、第１スルホール６ａおよび第２スルホール６ｂの導通抵抗については、穴径や、ビアホールであるかまたは貫通しているホールであるか等に関して区分を設けて、別々の値を設定してもよい。
【００４８】
図５は、本発明のプリント配線板の設計方法の一実施例を示すフローチャートである。
【００４９】
本実施例のプリント配線板の設計方法は、プリント配線板７表面に予め形成されている第１導体１および第２導体２表面に電気メッキ法にてメッキを行うことによってメッキ層を設けて第１摺動端子および第２摺動端子を形成する際に用いられるものであり、メッキリードの引き回しパターンの設計図に基づき、被メッキ導体である第１導体１および第２導体２とメッキ電流供給ライン５との間を電気的に接続している第１メッキリード３および第２メッキリード４の導通抵抗の値を設定する工程（ステップＳ１）と、この導通抵抗の値を評価する工程（ステップＳ２）と、この評価結果に基づき第１メッキリード３および第２メッキリード４の引き回し経路が不適合であるか適合であるかを判断する工程（ステップＳ３）と、不適合であると判断した場合に（ステップＳ３での判断結果がＮＯであった場合に）第１メッキリード３および第２メッキリード４の引き回し経路を変更する工程（ステップＳ４）とからなる。なお、ステップＳ３での判断結果がＹＥＳであった場合には処理を終了する。
【００５０】
まず初めに、メッキリードの引き回しパターンの設計図に基づき、被メッキ導体である第１導体１および第２導体２とメッキ電流供給ライン５との間を電気的に接続している第１メッキリード３および第２メッキリード４の導通抵抗の値を設定する工程（図５に示すステップＳ１）について説明する。
【００５１】
まず、第１層７ａ上に形成されており、かつ、メッキ電流供給ライン５に直接接続されているパターンのデータをＣＡＤデータ上から検索する。
【００５２】
本実施例においては、図２に示すように、２本の直線の図形要素３ａ，４ａを示すデータが見つかる。次に、これら２本の直線の図形要素３ａ，４ａに直接接続されているパターンのデータを検索すると、直線の図形要素３ｂ，４ｂを示すデータがそれぞれ見つかる。次に、これら２本の直線の図形要素３ｂ，４ｂに直接接続されているパターンのデータを検索すると、直線の図形要素３ｃ，４ｃを示すデータがそれぞれ見つかる。次に、これら２本の直線の図形要素３ｂ，４ｂに直接接続されているパターンのデータを検索する。
【００５３】
このような手順を繰り返すことによって、直接接続されているパターンのデータが見つからなくなるまで検索を繰り返すと、第１メッキリード３の一部分である５本の直線の図形要素３ａ〜３ｅを示すデータと、第２メッキリード４の一部分である３本の直線の図形要素４ａ〜４ｃを示すデータと、第１導体１を示すデータとが検索される。
【００５４】
この検索された全データについて、接続属性としてＡ１を与える。次に、これら接続属性Ａ１をもつデータと、スルホールおよび／またはビアホールのデータとを比較し、接続属性Ａ１をもつデータが示すパターンに接続されるスルホールおよび／またはビアホールを検索し、検索の結果、接続されていることが検出されたスルホールおよび／またはビアホールを示すデータに接続属性Ａ２を与える。
【００５５】
次に、接続属性Ａ２が付与されているデータが示すスルホールおよび／またはビアホールと、第２層７ｂ上に形成されているパターンのデータとを比較し、接続属性Ａ２が付与されているデータが示すスルホールおよび／またはビアホールに接続されているパターンのデータを検索する。
【００５６】
本実施例においては、図３に示されているように、直線の図形要素４ｄが検索される。続いて、この直線の図形要素４ｄに直接接続されているパターンのデータを検索すると、直線の図形要素４ｅを示すデータが見つかる。次に、この直線の図形要素４ｅに直接接続されているパターンのデータを検索する。
【００５７】
第１層７ａを対象に行った手順と同様にこのような手順を繰り返すことによって、直接接続されているパターンのデータが見つからなくなるまで検索を繰り返すと、第２メッキリード４の一部分である３本の直線の図形要素４ｄ〜４ｆを示すデータが検索される。
【００５８】
この検索された３本の直線の図形要素４ｄ〜４ｆを示すデータについて、接続属性としてＡ３を与える。次に、これら接続属性Ａ３をもつデータと、スルホールおよび／またはビアホールのデータとを比較し、接続属性Ａ３をもつデータが示すパターンに接続されるスルホールおよび／またはビアホールを検索し、検索の結果、接続されていることが検出されたスルホールおよび／またはビアホールを示すデータに接続属性Ａ４を与える。
【００５９】
以上の手順を、接続されているパターンをすべて検索しつくすまで、繰り返し実行し、第１メッキリード３および第２メッキリード４の導通抵抗の値を設定する。
【００６０】
なお、メッキ電流供給ラインが、例えば第２層にもある場合には、このメッキ電流供給ラインをスタートとして、同じ手順を実施し、接続属性Ｂ１、Ｂ２、・・・を各パターンのデータに付与する。
【００６１】
ついで、全ての設定が終了したら、この設定結果に基づき導通抵抗の値を評価する工程（図５に示すステップＳ２）を実施して、メッキリードの電気抵抗を評価する。
【００６２】
ここで用いられる評価法においては、その詳細度に応じて、各種設定ができる。
【００６３】
最も簡単な方法は、スルホール通過回数のみで評価する方法である。なぜなら、一般には、メッキリードにある程度の線幅があるため、よほど長い引き回しをしていない限り、メッキリードの導通抵抗を左右する最も大きな要素は、スルホールの導通抵抗となるからである。その結果、評価の方法としては、ＣＡＤ上で、第１摺動端子を構成する図形要素に接続される図形要素がもつ接続属性の値と、第２摺動端子を構成する図形要素に接続される図形要素がもつ接続属性の値とを比較し、同じか、もしくは経験的または実験的に決めた一定範囲内にあるかを判定し、範囲に入っていれば、良い引き回しである、入っていなければ、悪い引き回しであるとして評価する方法、即ち、何回スルホールを通ってきたかを比較する方法である。
【００６４】
なお、複数の層にメッキ電流供給ラインがある場合は、各層のメッキ電流供給ラインやそこへの電流供給条件等を考慮し、各層の導通抵抗を同じ重みで評価するか（即ち、接続属性Ａ１と接続属性Ｂ１と、接続属性Ａ３と接続属性Ｂ３とをそれぞれ同じ属性と見なすか）、それとも多少差を付けて評価するかを予め決めておく。
【００６５】
また、メッキリードの導通抵抗を決める主たる要素は、スルホールおよび／またはビアホールではあるが、径の違いや、スルホールとビアホールとの区別等によって、その導通抵抗の差が無視できない場合は、前述のようにスルホールおよび／またはビアホールの通過回数を単純にカウントするのでなく、通過したスルホールおよび／またはビアホール個々に設定した導通抵抗を積算して、その積算結果を比較しても良い。
【００６６】
詳細な評価方法としては、上述のスルホールおよび／またはビアホールの通過回数や積算導通抵抗と、メッキリード自体の導通抵抗とを合わせて評価する方法もある。
【００６７】
本実施例では、評価対象となる被メッキ導体である第１導体１または第２導体２に電気的に接続されている第１メッキリード３または第２メッキリード４を構成する図形要素（パターン）を特定し、各々について、その線幅、厚さおよび線長をＣＡＤデータから読み出し、このＣＡＤデータと、パターンを構成する導体の材質（多くの配線板では銅が使用されている）の比抵抗とに基づき、メッキリードの導通抵抗を計算する。そして、この計算結果と、経験的、実証的に決められた許容値とを比較して、メッキリードの引き回しの善し悪しを決定する。
【００６８】
続いて、前述したような評価方法を用いて評価を行った結果に基づき、第１メッキリード３および第２メッキリード４の引き回し経路が不適合であるか適合であるかを判断する工程（図５に示すステップＳ３）を実施する。即ち、第１メッキリード３および第２メッキリード４の引き回し経路が良い引き回しである場合にはメッキリードの引き回し経路が適合であると判断し（図５に示すステップＳ３での判断結果がＹＥＳになり）、第１メッキリード３および第２メッキリード４の引き回し経路が悪い引き回しである場合にはメッキリードの引き回し経路が不適合であると判断する（図５に示すステップＳ３での判断結果がＮＯになる）。
【００６９】
なお、被メッキ面積が広ければ、必要なメッキ電流量も多くなるが、通常、メッキ電圧は一定であるので、面積の広い部分に狭いところと同じだけメッキを付けるためには、大きな電流が必要である。即ち、被メッキ面積が広い導体に接続されているメッキリードの抵抗が、被メッキ面積が狭い導体に接続されているメッキリードの抵抗よりも、小さくなければならない。従って、さらに詳細な検討を行う場合は、被メッキ導体の表面積を計算し、メッキリードの導通抵抗と被メッキ導体の表面積の比が、一定範囲以内に入っているか否かの判定を行ってもよい。
【００７０】
このような手順によって、評価結果が出たら、その結果を判断する。例えば、最も簡単な例では、隣接するランド・端子を構成する導体（本実施例においては第１導体および第２導体）間で、スルホール通過回数が同じで無ければ不適合とする等である。
【００７１】
そして、メッキリードの引き回し経路が不適合であった場合は、第１メッキリード３および第２メッキリード４の引き回し経路を変更する工程（図５に示すステップ４）を実施して、例えば、第１メッキリード３および／または第２メッキリード４の通過経路を変更して、配線長やスルホール通過回数を見直したり、他のパターンと接続したり、メッキリードの数を追加したり、線幅を太くしたりする等の対策を施し、再度、前述した導通抵抗の値を設定する工程から各工程を順次実施する。
【実施例２】
【００７２】
次に、本発明の実施例２について図面を参照して説明する。
【００７３】
本実施例において行ったメッキリードの導通抵抗の値を設定する工程は、基本的には、実施例１で用いた導通抵抗の値を設定する工程と同じ概念で実施されるが、ＣＡＤ上に保持されている座標データ、即ちベクタデータでは、相互の接続状態を判定する計算が容易ではないため、この工程をラスタイメージを用いて実施している。即ち、ラスタイメージとは、コンピュータのメモリ上に、対象となるプリント配線板の全体が入る程度の適切な解像度をもつビットマップ空間を用意し、ここに、ＣＡＤデータを展開したものである。このビットマップの分解能（即ち、１ドットが実データのどのくらいの大きさを示すか）は、ＣＡＤデータの有効桁数、プリント配線板の最小線幅および線間隔、ならびにコンピュータとＯＳとソフトウエアとの開発環境等といった諸般の条件を検討して決定される。
【００７４】
本実施例では、１ドットを１０μｍ×１０μｍの正方形と考え、この上にＣＡＤデータをイメージとして展開している。また、接続属性を表すために、各ドットには、４ビットのデータ長を与えている。これも使用するシステム等によって自由に決めることができるが、メッキリードとして考えた場合、メッキリードはあまり多くのスルホールを通ることが無いので、この値（４ビット）を採用している。
【００７５】
まず、当該配線板の全体が入るサイズで、上記解像度をもつビットマップを、プリント配線板の層数分（本実施例では、プリント配線板が両面基板なので２面）、さらにスルホールおよび／またはビアホール分（本実施例では、貫通スルホールが１種のみなので１面）用意する。例えば、プリント配線板が４層基板で、貫通スルホールが１種、１−２層ビアホール（第１層および第２層間を貫通しているビアホール）および３−４層ビアホール（第３層および第４層間を貫通しているビアホール）がある場合は３面用意する。
【００７６】
ついで、このビットマップの全ドットの値を０にセットする。この場合、０は、何も無いことを意味しており、プリント配線板で例えれば、パターンが無い部分を示している。
【００７７】
続いて、ＣＡＤデータを順次呼び出し、図形要素が存在している層についてパターンデータをビットマップに展開する。さらに、スルホールおよび／またはビアホールに関するＣＡＤデータも、同様に、各スルホールおよび／またはビアホールをその穴径の丸としてビットマップに展開する。具体的には、パターンのある場所のドットの値を１にする。
【００７８】
こうして展開された第１層７ａのイメージを図６に示す。
【００７９】
図６は、本発明のプリント配線板の設計方法の実施例２を実施する際に用いられるビットマップのうち、プリント配線板の第１層に配置される要素の一例を示した説明図である。
【００８０】
この図では、直線の図形要素３ａ〜３ｅ，４ａ〜４ｃ，４ｇ〜４ｉ、第１スルホール６ａ、第２スルホール６ｂ、第１導体１および第２導体２の位置のドットの値が１である。例えば、このドットの値が１になっている部分を所定の色（例えば、水色）で示してもよい。
【００８１】
なお、このようなラスタ展開法を採用した場合、特に、パターンの接続関係の判定が困難な輪郭形式のデータでも、フォト形式と大きな差なく評価が可能である。即ち、輪郭形式のデータは、パターン形状の輪郭を囲む線幅ゼロの閉曲線で表現されているが、一旦、この輪郭線を幅１ドットでビットマップ展開した後、閉曲線の内外判定を行い、塗りつぶしを行うことによって、フォトデータを展開したとき（即ち、フォト形式を採用したとき）と同じイメージを得ることができる。
【００８２】
また、このようなラスタ展開法を採用した場合、フォト形式と輪郭形式とが混在しているデータの処理であっても、例えばフォト形式のデータの処理であっても、複数ファイルの合成および抜き合成で作られているデータであっても、ラスタ展開後に画像合成処理をすることで、ラスタイメージを容易に得ることができる。従って、ドットの値が１か０かという点に着目して判断すればよく、ちょうど、モノクロ２値のイメージと同じイメージになる。
【００８３】
この状態で、接続関係をチェックする方法は、一般に、画像処理でＦＩＬＬ−ＰＡＩＮＴ（フィル  ペイント）と呼ばれる処理と同じである。まず、最初にメッキ電流を流し込む場所となる部位のドットの値を、現在のドットの値＋１とする。例えば、最も始めのステップなら、メッキ電流供給ライン５がこれに当たるので、メッキ電流供給ライン５上の任意のドットの値を１から２に変える。次に、値を２に変えたドットに隣接するドットのうち、値が１であるドットについてその値を２に変える。このような操作を繰り返すことで、メッキ電流供給ライン５に接続されている図形要素３ａ〜３ｅ，４ａ〜４ｃと第１導体１とに対応するドットの値をすべて２に変えることができる。このときのドットの値が、実施例１の接続属性値に相当する。
【００８４】
このような処理を実施した直後の状態を図７に示す。
【００８５】
図７は、図６に示すビットマップに対してラスタ展開法を採用して接続関係をチェックする処理を施した結果得られたビットマップの一例を示す説明図である。
【００８６】
本実施例においては、第１層７ａにおいてメッキ電流供給ライン５に接続されている部分（即ち、直線の図形要素３ａ〜３ｅ，４ａ〜４ｃ、第１スルホール６ａ、第１導体１）のドットの値が２になっている。例えば、このドットの値が２になっている部分を所定の色（例えば、ピンク色）で示してもよい。一方、第１層７ａにおいてメッキ電流供給ライン５に接続されていない部分のドットの値は１のままであり、例えば、その部分の色は水色のままである。
【００８７】
次に、このＦＩＬＬ−ＰＡＩＮＴを行ったパターンのビットマップと、スルホールおよび／またはビアホールを示すビットマップとを比較する。そして、双方のビットマップの同じ位置をドット単位で順次比較し、ＦＩＬＬ−ＰＡＩＮＴを行ったパターンのビットマップ上においてはドットの値が２になっており、かつ、スルホールおよび／またはビアホールを示すビットマップ上においてはドットの値が１になっている位置について、その位置のドットの値を３に変える。一般に、この処理はＡＮＤ（アンド）処理とよばれる。
【００８８】
このような処理をプリント配線板の第１層７ａ全面で行うと、スルホールおよび／またはビアホールに関するビットマップにおいて、第１層７ａ上に配置されているパターンのうち、メッキ電流供給ライン５に接続されているパターンに接続されているスルホールは、ドットの値が３に変わる。
【００８９】
このような処理を実施した直後の状態を図８に示す。
【００９０】
図８は、図７に示すビットマップとスルホールおよび／またはビアホールを示すビットマップとを比較した結果得られたビットマップの一例を示す説明図である。
【００９１】
本実施例においては、第１スルホール６ａのドットの値が３に変わる。例えば、このドットの値が３になっている部分を所定の色（例えば、緑色）で示してもよい。
【００９２】
続いて、前述のような処理の結果得られたビットマップと、第２層上に形成されている図形要素を示すビットマップを使って、第１層を対象に行った処理と同様の処理を実施する。即ち、ドットの値が３になっている位置を核にＦＩＬＬ−ＰＡＩＮＴを行う。
このような処理を実施した直後の状態を図９に示す。
【００９３】
図９は、図８に示すビットマップと第２層上に形成されている図形要素を示すビットマップとを比較した結果得られたビットマップの一例を示す説明図である。
【００９４】
本実施例においては、直線の図形要素４ｄ，４ｅ，４ｆの部分に相当するドットの値が４に変わる。例えば、このドットの値が４になっている部分を所定の色（例えば、橙色）で示してもよい。
【００９５】
以上の手順を各層で繰り返し実施して、ＦＩＬＬ−ＰＡＩＮＴを新たにドットの値が変わることが無くなるまで行う。
【００９６】
図１０は、図９に示すビットマップとスルホールおよびビ／またはアホールを示すビットマップとを比較した結果得られたビットマップの一例を示す説明図である。
【００９７】
本実施例においては、第２スルホール６ｂの部分に相当するドットの値が５に変わる。
【００９８】
図１１は、図１０に示すビットマップと第１層上に形成されている図形要素を示すビットマップとを比較した結果得られたビットマップの一例を示す説明図である。
【００９９】
本実施例においては、直線の図形要素４ｇ〜４ｉと第２導体２の部分に相当するドットの値が６に変わる。
【０１００】
この際、実施例１のように片面づつ処理を行ってもよく、第１層および第２層のＦＩＬＬ−ＰＡＩＮＴを先に行い、続いて、このＦＩＬＬ−ＰＡＩＮＴによって得られたビットマップと、スルホールおよび／またはビアホールを示すビットマップとを用いてＡＮＤ処理をして、第１層および第２層共通のスルホールおよび／またはビアホールのビットマップを作り、このビットマップを用いて他方の面（他の層）に対し、ＦＩＬＬ−ＰＡＩＮＴを行うといった手順で処理を行ってもよい。
【０１０１】
なお、図６〜図１１に示した内容は、実施例１の手順において接続属性の値を色で示した場合ともいえる。
【０１０２】
最終的に、前述した手順により接続チェック（接続属性の値を求める処理）が終わり、導通抵抗の値を設定する工程が終了した後、実施例１と同じ手順を実施して、この導通抵抗の値を評価する工程と、この評価結果に基づき引き回し経路が不適合であるか適合であるかを判断する工程と、不適合であると判断された場合に第１メッキリード３および第２メッキリード４の引き回し経路を変更する工程とを実施する。
【実施例３】
【０１０３】
次に、本発明の実施例３について図面を参照して説明する。
【０１０４】
前述の実施例１および実施例２において示したプリント配線板の設計方法は、メッキリード評価プログラムによって実現されており、本実施例においては、このメッキリード評価プログラムを記録したコンピュータ読み取り可能な記録媒体を備えてなる評価装置について示している。この評価装置は、メッキリード評価プログラムに基づきＣＡＤデータを処理することで結果を得ている。
【０１０５】
図１２は、本発明の評価装置の一実施例を示す説明図である。
【０１０６】
例えば、評価装置は、実施例２に示したプリント配線板の設計方法を実現するメッキリード評価プログラムを記録したコンピュータ読み取り可能な記録媒体１１を備えたコンピュータ１２に、スキャナ１３とスキャナの制御用プログラム１４とを付加したものである。この評価装置では、ＣＡＤデータをラスタ展開することで得たパターンのデータやスルホールおよび／またはビアホールのイメージデータを、プリント配線板製造用フォトツールやその他のプロット図、フィルム、またはプリント配線板自体からスキャナを用いて得ている。
【０１０７】
このような評価装置を用いることによって、ＣＡＤデータが無くても、またはＣＡＤを使用しなくても、メッキリードの引き回し経路をチェックすることができる。その結果、プリント配線板の製造現場等でも評価装置をスタンドアロンで（独立して）使用できる。
【産業上の利用可能性】
【０１０８】
本発明のプリント配線板の設計方法、この設計方法を実現するためのメッキリード評価プログラム、このメッキリード評価プログラムを記録したコンピュータ読み取り可能な記録媒体を備えた評価装置、およびこれら設計方法、メッキリード評価プログラムまたは評価装置を用いて設計されたプリント配線板は、電子機器の回路ユニットに使用されるプリント配線板として使用されるか、またはこのプリント配線板を製造する際に使用される。
【図面の簡単な説明】
【０１０９】
【図１】本発明のプリント配線板の設計方法の実施例１を実施する際に用いられるＣＡＤ上で保持されているアートワークデータのイメージの一例を示す説明図である。
【図２】図１に示すイメージのうち、プリント配線板の第１層に配置される要素のイメージである。
【図３】図１に示すイメージのうち、プリント配線板の第２層に配置される要素のイメージである。
【図４】図１に示すイメージのうち、プリント配線板に施されるドリルを示すドリルデータを示すイメージである。
【図５】本発明のプリント配線板の設計方法の一実施例を示すフローチャートである。
【図６】本発明のプリント配線板の設計方法の実施例２を実施する際に用いられるビットマップのうち、プリント配線板の第１層に配置される要素の一例を示した説明図である。
【図７】図６に示すビットマップに対してラスタ展開法を採用して接続関係をチェックする処理を施した結果得られたビットマップの一例を示す説明図である。
【図８】図７に示すビットマップとスルホールおよび／またはビアホールを示すビットマップとを比較した結果得られたビットマップの一例を示す説明図である。
【図９】図８に示すビットマップと第２層上に形成されている図形要素を示すビットマップとを比較した結果得られたビットマップの一例を示す説明図である。
【図１０】図９に示すビットマップとスルホールおよび／またはビアホールを示すビットマップとを比較した結果得られたビットマップの一例を示す説明図である。
【図１１】図１０に示すビットマップと第１層上に形成されている図形要素を示すビットマップとを比較した結果得られたビットマップの一例を示す説明図である。
【図１２】本発明の評価装置の一実施例を示す説明図である。
【図１３】従来のプリント配線板におけるメッキリードの引き回しの一例を示す上面図である。
【図１４】従来の従来のプリント配線板におけるメッキリードの引き回しの他の例を示す上面図である。
【図１５】各導体に接続されているメッキリードの導通抵抗間に差がある状態でメッキ工程を実施した場合のメッキ層の状態の一例を示す断面図である。
【符号の説明】
【０１１０】
１      第１導体
２      第２導体
３      第１メッキリード
４      第２メッキリード
５      メッキ電流供給ライン
６ａ    第１スルホール
６ｂ    第２スルホール
７      プリント配線板
【図１】
2005215989.tif 000003
【図２】
2005215989.tif 000004
【図３】
2005215989.tif 000005
【図４】
2005215989.tif 000006
【図５】
2005215989.tif 000007
【図６】
2005215989.tif 000008
【図７】
2005215989.tif 000009
【図８】
2005215989.tif 000010
【図９】
2005215989.tif 000011
【図１０】
2005215989.tif 000012
【図１１】
2005215989.tif 000013
【図１２】
2005215989.tif 000014
【図１３】
2005215989.tif 000015
【図１４】
2005215989.tif 000016
【図１５】
2005215989.tif 000017